(57)【要約】【課題】薬の誤飲を防止できる薬提供システムを提供すること。【解決手段】薬提供システム１は、薬を収容するケース本体１１と、薬を取出不能にケース本体１１をロックする薬ケース蓋開閉ロック機構１５と、を有する薬ケース３とを備える。また、薬提供システム１は、薬服用者を認証する認証処理部５７を有する情報端末５を備える。この情報端末５は、認証処理部５７の認証結果と、薬ケース３に対して予め設定された薬提供情報１９とを照合する照合部５９、及び、照合部５９の照合結果に応じてロックを解除するか否か判定する判定部６１を有する。また、薬提供システム１は、判定部６１の判定結果に基づいて薬ケース蓋開閉ロック機構１５のロックを解除するロック解除キーユニット７と、を備える。【選択図】図２
2019030576.tif 000002
【特許請求の範囲】
【請求項１】
薬を収容する収容部と、前記薬を取出不能に前記収容部をロックするロック部と、を有するケースと、
前記ロック部のロックに関する処理を実行する処理手段と、
前記ロック部のロックを解除するロック解除手段と、を備え、
前記処理手段は、
前記薬を服用する薬服用者を認証する認証部と、
前記認証部の認証結果と、前記ケースに対して予め設定された薬の提供に関する情報とを照合する照合部と、
前記照合部の照合結果に応じてロックを解除するか否か判定する判定部と、を有し、
前記ロック解除手段は、
前記判定部の判定結果に基づいて前記ロック部のロックを解除する、
ことを特徴とする薬提供システム。
【請求項２】
前記ロック解除手段は、ハードキーを備えることを特徴とする請求項１記載の薬提供システム。
【請求項３】
前記ロック部は、前記ケースの中に設けられていることを特徴とする請求項２に記載の薬提供システム。
【請求項４】
前記処理手段を有した情報端末を備え、
前記ロック解除手段は、前記情報端末に設けられていることを特徴とする請求項１から３のいずれか１項に記載の薬提供システム。
【請求項５】
前記収容部から前記薬服用者に前記薬を渡し済みであることを示す渡し済み情報を記憶する記憶部と、
前記渡し済み情報に基づく服薬履歴を送信する送信部とを備えることを特徴とする請求項１から４のいずれか１項に記載の薬提供システム。
【請求項６】
前記薬の提供に関する情報は、前記薬の服用時間を含むことを特徴とする請求項１から５のいずれか１項に記載の薬提供システム。
【請求項７】
薬を収容する収容部と、前記薬を取出不能に前記収容部をロックするロック部と、を有するケースに収容された前記薬を、前記薬を服用する薬服用者に提供する薬提供方法において、
前記薬服用者を認証するステップと、
前記認証の結果と、前記ケースに対して予め設定された薬の提供に関する情報とを照合するステップと、
前記照合の結果に応じてロックを解除するか否か判定するステップと、
前記判定の結果に基づいて前記ロック部のロックを解除するステップと、
を備えることを特徴とする薬提供方法。
【請求項８】
薬を収容する収容部と、前記薬を取出不能に前記収容部をロックするロック部と、を有するケースに収容された前記薬を服用する薬服用者を認証する認証部と、
前記認証部の認証結果と、前記ケースに対して予め設定された薬の提供に関する情報とを照合する照合部と、
前記照合部の照合結果に応じてロックを解除するか否か判定する判定部と、
前記判定部の判定結果に基づいて前記ロック部のロックを解除するロック解除手段と、
を備えることを特徴とする情報端末。
【発明の詳細な説明】
【技術分野】
【０００１】
本発明は、薬提供システム、薬提供方法、及び情報端末に関する。
【背景技術】
【０００２】
従来、ヘルスケア事業において、薬を薬ケースから薬服用者に提供するシステムが提案されており、複数の薬服用者が居住する介護施設において用いられている（例えば、特許文献１参照）。特許文献１記載のシステムでは、薬服用者の名前を示すプレートが薬ケースに取り付けられている。
また、薬ケースに指紋認証により解除可能なロック機能を設ける技術が提案されている（例えば、特許文献２参照）。
【先行技術文献】
【特許文献】
【０００３】
【特許文献１】特開２０１０−４２１３６号公報
【特許文献２】特開２００８−１５６９８２号公報
【発明の概要】
【発明が解決しようとする課題】
【０００４】
しかしながら、特許文献１記載のシステムでは、プレートに記された薬服用者の名前を介護者が見誤った場合、薬服用者が他の薬服用者の薬を誤って飲んでしまうことがある。
また、特許文献２記載の技術では、他者の薬が指紋認証された薬服用者の薬ケースの中に誤って収められていた場合には、薬服用者が他者の薬を誤って飲んでしまう。
本発明は、薬の誤飲を防止できる薬提供システム、薬提供方法、及び情報端末を提供することを目的とする。
【課題を解決するための手段】
【０００５】
本発明は、薬を収容する収容部と、前記薬を取出不能に前記収容部をロックするロック部と、を有するケースと、前記ロック部のロックに関する処理を実行する処理手段と、前記ロック部のロックを解除するロック解除手段と、を備え、前記処理手段は、前記薬を服用する薬服用者を認証する認証部と、前記認証部の認証結果と、前記ケースに対して予め設定された薬の提供に関する情報とを照合する照合部と、前記照合部の照合結果に応じてロックを解除するか否か判定する判定部と、を有し、前記ロック解除手段は、前記判定部の判定結果に基づいて前記ロック部のロックを解除する、ことを特徴とする薬提供システムである。
【０００６】
本発明は、上記薬提供システムにおいて、前記ロック解除手段は、ハードキーを備えることを特徴とする。
【０００７】
本発明は、上記薬提供システムにおいて、前記ロック部は、前記ケースの中に設けられていることを特徴とする。
【０００８】
本発明は、上記薬提供システムにおいて、前記処理手段を有した情報端末を備え、前記ロック解除手段は、前記情報端末に設けられていることを特徴とする。
【０００９】
本発明は、上記薬提供システムにおいて、前記収容部から前記薬服用者に前記薬を渡し済みであることを示す渡し済み情報を記憶する記憶部と、前記渡し済み情報に基づく服薬履歴を送信する送信部とを備えることを特徴とする。
【００１０】
本発明は、上記薬提供システムにおいて、前記薬の提供に関する情報は、前記薬の服用時間を含むことを特徴とする。
【００１１】
本発明は、薬を収容する収容部と、前記薬を取出不能に前記収容部をロックするロック部と、を有するケースに収容された前記薬を、前記薬を服用する薬服用者に提供する薬提供方法において、前記薬服用者の認証処理を行うステップと、前記認証処理の認証結果と、前記ケースに対して予め設定された薬の提供に関する情報とを照合するステップと、前記照合の結果に応じてロックを解除するか否か判定するステップと、前記判定の結果に基づいて前記ロック部のロックを解除するステップと、を備えることを特徴とする。
【００１２】
本発明は、薬を収容する収容部と、前記薬を取出不能に前記収容部をロックするロック部と、を有するケースに収容された前記薬を服用する薬服用者の認証処理を行う認証部と、前記認証部の認証結果と、前記ケースに対して予め設定された薬の提供に関する情報とを照合する照合部と、前記照合部の照合結果に応じてロックを解除するか否か判定する判定部と、前記判定部の判定結果に基づいて前記ロック部のロックを解除するロック解除手段と、を備えることを特徴とする情報端末である。
【発明の効果】
【００１３】
本発明によれば、薬の誤飲を防止できる。
【図面の簡単な説明】
【００１４】
【図１】本発明の実施形態に係る薬提供システムを示す図。
【図２】薬提供システムの機能的構成を示す図。
【図３】ケース本体の構成を示す図であり、（ａ）は薬ケース蓋開閉ロック機構及び孔部を示す図であり、（ｂ）は（ａ）に示す領域Ｘの拡大図。
【図４】ハードキーの屈曲部を示す図であり、（ａ）は通常時の屈曲部を示す図であり、（ｂ）はロック解除時の屈曲部を示す図。
【図５】ロック解除可能状態の説明図。
【図６】図５に示す領域Ｙの拡大図であり、（ａ）はハードキーの屈曲部が屈曲する前の薬ケース蓋開閉ロック機構を示す図であり、（ｂ）はハードキーの屈曲部が屈曲した際の薬ケース蓋開閉ロック機構を示す図。
【図７】書き込み処理を示すフローチャート。
【図８】書き込み処理が行われたときの薬提供システムの動作説明図。
【図９】薬セット処理を示すフローチャート。
【図１０】薬セット処理が行われたときの薬提供システムの動作説明図で。
【図１１】個人認証処理を示すフローチャート。
【図１２】該当の個人識別ＩＤが見つかった場合の表示を示す図。
【図１３】個人認証処理が行われたときの薬提供システムの動作説明図であり、（ａ）は照合結果に基づいてロック維持された薬ケースを示す図であり、（ｂ）は照合結果に基づいてロック解除された薬ケースを示す図。
【発明を実施するための形態】
【００１５】
以下、図面を参照して本発明の実施形態について説明する。
図１は、本実施形態に係る薬提供システム１を示す図である。
薬提供システム１は、薬を服用する薬服用者に対し、薬の服用時間に、薬ケース３に収容された薬を、看護師や介護士等の介護者が提供するためのシステムであり、多数の薬服用者が居住するグループホームなどで好適に用いられる。
【００１６】
薬提供システム１は、多数の薬服用者ごとに割り当てられた薬ケース３と、介護者が所持する情報端末５と、服薬データベース６（図２）とを備えている。
薬ケース３は、薬が収められる（セットされる）収容部たるケース本体１１と、このケース本体１１に開閉自在に設けられた蓋体１３と、蓋体１３の開閉に鍵をかけてロックする薬ケース蓋開閉ロック機構１５（図２）と、を備えている。
さらに、この薬ケース３の蓋体１３には、ＲＦＩＤタグ１７が設けられている。ＲＦＩＤタグ１７は、情報端末５から読み書き可能なＲＦＩＤ記憶部２１（図２）を備えている。ＲＦＩＤ記憶部２１は、薬提供情報１９を記憶している。薬提供情報１９は、この薬ケース３に収められている薬の薬服用者への提供に関する情報である。
【００１７】
情報端末５は、スマートフォンやタブレット端末などの端末であり、本体５Ａと、ロック解除キーユニット７と、ＲＦＩＤ読書部２６（図２）と、を有する。
ロック解除キーユニット７は、薬ケース３のロックを解除する手段である。このロック解除キーユニット７は、情報端末５の本体５Ａに外付けされており、ＵＳＢケーブル９を通じて本体５Ａからロック解除キーユニット７に電力が供給される。
ＲＦＩＤ読書部２６は、薬ケース３のＲＦＩＤタグ１７に記憶されている薬提供情報１９を読み書きする。
【００１８】
服薬データベース６は、薬服用者ごとに服薬履歴２２を記憶するデータベースである。服薬履歴２２は、薬ケース３にセットされた薬を薬服用者が服用した履歴を示す情報である。
【００１９】
図２は、薬提供システム１の機能的構成を示す図である。
薬ケース３は、上述の通り、薬提供情報１９を記憶したＲＦＩＤタグ１７を備え、この薬提供情報１９には、個人識別ＩＤ２５と、薬情報２７と、薬セット状態情報２９とが含まれている。
個人識別ＩＤ２５は、この薬ケース３が割り当てられた薬服用者を一意に識別する情報である。
薬情報２７は、薬服用者に提供すべき薬の情報であり、薬の名称や、色、形状、個数等を含み、さらに本実施形態では、薬の服用時間を含んでいる。薬の服用時間は、薬服用者が薬を服用する時刻又は時間帯であり、本実施形態では、「朝」、「昼」、及び「晩」の３つの時間帯が用いられている。
薬セット状態情報２９は、薬のセット状態を特定するための情報である。薬のセット状態は、薬ケース３の薬を薬服用者に渡し済みである状態（渡し済み状態）、薬ケース３に薬をセット済みである状態（セット済み状態）、及び薬ケース３に薬をセットしていない状態（未セット状態）のいずれかである。
これらのセット状態を特定するために、薬セット状態情報２９は、渡し済みフラグ３１と、セット済みフラグ３３と、未セットフラグ３５とを備えている。渡し済みフラグ３１は、渡し済み状態を示す情報である。セット済みフラグ３３は、セット済み状態を示す情報である。未セットフラグ３５は、未セット状態を示す情報である。
【００２０】
上記ロック解除キーユニット７は、ロック解除部３７を備え、ロック解除部３７は、ハードキー３９と、ロック機構制御回路４１とを備えている。ハードキー３９は、薬ケース蓋開閉ロック機構１５のロックを解除する物理的なキーであり、屈曲自在な屈曲部４３（図４）と、ロック機構制御回路４１の制御により屈曲部４３を屈曲するアクチュエーター４５とを備えている。
【００２１】
上記ＲＦＩＤ読書部２６は、ＲＦＩＤアンテナ４７と、ＲＦＩＤ制御回路４９とを備えている。ＲＦＩＤアンテナ４７は、薬ケース３のＲＦＩＤタグ１７と、電磁界や電波などを用いた近距離無線通信を行う。ＲＦＩＤ制御回路４９は、ＲＦＩＤタグ１７に記憶されている薬提供情報１９の読み書きを制御する。なお、ＲＦＩＤアンテナ４７が行う近距離無線通信は、ＮＦＣやBluetooth（登録商標）等の規格に従い行われてもよい。また、薬提供システム１は、ＲＦＩＤ読書部２６のみを備えた情報端末を備えていてもよい。
【００２２】
また、情報端末５は、制御部５１と、生体情報入力部５３と、表示通知部５４と、送信部５８と、情報端末記憶部６０とを備えている。
制御部５１は、情報端末５の各部を制御するものであり、ＣＰＵ、ＲＯＭ、及びＲＡＭ等を備えたコンピューターによって構成され、所定の制御プログラムをＣＰＵによって実行することにより、情報端末５の各部を制御する。
【００２３】
生体情報入力部５３は、薬服用者の生体情報を取得する。本実施形態では、生体情報は、薬服用者の顔の情報である。生体情報入力部５３は、薬服用者の顔を撮影する撮影装置７２を備え、撮影データを制御部５１に出力する。なお生体情報は、薬服用者の指紋の情報でもよく、生体情報入力部５３は、指紋認証の機能を有していてもよい。
表示通知部５４は、各種情報を介護者に表示によって通知するものであり、例えば液晶パネル、または有機ＥＬパネルを備え、また、表示通知部５４は、タッチ操作を検出するタッチパネル７１を備えている。
送信部５８は、服薬データベース６に服薬履歴２２を送信する。この服薬履歴２２は、薬服用者の個人識別ＩＤ２５や薬情報２７に基づいて制御部５１によって生成される。
【００２４】
情報端末記憶部６０は、個人識別ＩＤ２５、薬情報２７、及び顔特徴情報７７を記憶している。個人識別ＩＤ２５と、薬情報２７とは、上記薬ケース３のＲＦＩＤタグ１７が記憶しているものと同じである。また、顔特徴情報７７は、顔認証に必要な情報であり、薬服用者の顔の特徴を示す情報である。情報端末記憶部６０には、薬服用者全員分の個人識別ＩＤ２５、薬情報２７、及び顔特徴情報７７が記憶されている。
【００２５】
制御部５１は、薬服用者の認証結果に基づいて薬ケース３のロック解除を制御するロック解除制御部５２を備えている。ロック解除制御部５２は、服薬スケジュール管理部５５と、薬セット状態判定部５６と、認証処理部５７と、照合部５９と、判定部６１と、ロック機構制御処理部６９とを備えている。
服薬スケジュール管理部５５は、個人識別ＩＤ２５と、薬情報２７とに基づいて、薬服用者の服薬時間を管理する。
薬セット状態判定部５６は、薬ケース３に記憶されている薬セット状態情報２９に基づいて薬のセット状態を判定する。
認証処理部５７は、薬を提供する相手が正当な薬服用者（今の時間帯に薬を服用すべき者）であるか否かを生体情報（すなわち、本実施形態では、薬服用者の顔の情報）に基づいて認証するものであり、顔特定部６３を備えている。顔特定部６３は、薬を提供する相手の撮影データと、各薬服用者の顔特徴情報７７とを対比して、個人識別ＩＤ２５を特定する。該当の個人識別ＩＤ２５が見つからなければ、薬を提供する相手は正当な薬服用者ではないので、顔特定部６３は、表示通知部５４に認証に失敗した旨を表示する。一方、該当の個人識別ＩＤ２５が見つかった場合、薬を提供する相手が正当な薬服用者であるので、顔特定部６３は、服薬スケジュール管理部５５から薬服用者の服薬時間を取得し、顔特徴情報７７とともに表示通知部５４に表示する。この画面表示により、介護者は、薬を服用する相手が正当であると自分で判断することができる。
照合部５９は、認証処理部５７の認証結果と、薬ケース３に対して予め設定された薬提供情報１９とを照合し、比較する。具体的には、照合部５９は、ＲＦＩＤタグ１７から個人識別ＩＤ２５と、薬情報２７とを取得し、両者の個人識別ＩＤ２５及び薬情報２７を比較する。
判定部６１は、照合部５９の照合結果に応じてロックを解除するか否か判定するものである。
ロック機構制御処理部６９は、判定結果に基づいてロック機構制御回路４１を制御して、薬ケース３のロックを解除する。
【００２６】
図３は、ケース本体１１の構成を示す図であり、図３（ａ）は薬ケース蓋開閉ロック機構１５及び孔部７９を示す図であり、図３（ｂ）は図３（ａ）に示す領域Ｘの拡大図である。
薬ケース蓋開閉ロック機構１５は、ケース本体１１の中に設けられており、薬ケース３の外から薬ケース蓋開閉ロック機構１５のロックを解除することが難しくなっている。
ケース本体１１には、ハードキー３９が挿入される孔部７９が設けられている。ハードキー３９以外の棒などが孔部７９に挿入されても、棒などが届かない位置に薬ケース蓋開閉ロック機構１５が設けられている。
【００２７】
図４は、ハードキー３９の屈曲部４３を示す図であり、図４（ａ）は通常時の屈曲部４３を示す図であり、図４（ｂ）はロック解除時の屈曲部４３を示す図である。
ハードキー３９は、ユニットベース７Ａに立設した柱部３９Ａを有し、この柱部３９Ａの先端に上記屈曲部４３が柱部３９Ａに対してＬ字状に屈曲自在に設けられている。
通常時は、図４（ａ）に示すように、屈曲部４３が屈曲しておらず、ロック解除時には、図４（ｂ）に示すように屈曲部４３がＬ字状に屈曲する。
【００２８】
図５は、ロック解除可能状態の説明図である。
薬ケース３のロック解除は、図５に示すように、薬ケース３のケース本体１１が情報端末５の本体５Ａに置かれ、かつハードキー３９が孔部７９に挿入された状態（ロック解除可能状態）で行われる。
図６は、図５に示す領域Ｙの拡大図である。図６（ａ）はハードキー３９の屈曲部４３が屈曲する前の薬ケース蓋開閉ロック機構１５を示す図である。図６（ｂ）はハードキー３９の屈曲部４３が屈曲した際の薬ケース蓋開閉ロック機構１５を示す図である。
通常時は、図６（ａ）に示すように、ハードキー３９の屈曲部４３が屈曲しておらず、ハードキー３９が薬ケース蓋開閉ロック機構１５に届かないために、薬ケース蓋開閉ロック機構１５のロックが解除されず、ロック状態が維持される。
一方、図６（ｂ）に示すように、ハードキー３９の屈曲部４３がＬ字状に屈曲した場合は、薬ケース蓋開閉ロック機構１５が押し込まれ、薬ケース蓋開閉ロック機構１５が蓋体１３の開閉のロックを解除する。
【００２９】
このように、ハードキー３９を用いることにより、ロック解除キーユニット７と薬ケース３とが離れている場合の薬のセキュリティ性を高めることができる。また、ロック解除キーユニット７は、情報端末５に設けられているために、情報端末５を所持する介護者が薬ケース３のロック解除を目視で確認できる。
【００３０】
図７は、書き込み処理を示すフローチャートである。
書き込み処理は、介護者が情報端末５を用いて薬を薬ケース３にセットする際に実行され、書き込み処理では、薬ケース３のロック解除が行われる。書き込み処理は、情報端末５が未セットフラグ３５を立てた薬提供情報１９を薬ケース３のＲＦＩＤタグ１７に書き込む処理である。
【００３１】
すなわち、図７に示すように、所定のタッチ操作が行われた場合（ステップＳａ１）、制御部５１は、ＲＦＩＤ読書部２６を通じてＲＦＩＤタグ１７に対して薬提供情報１９の読み込みを試みる（ステップＳａ２）。制御部５１は、ＲＦＩＤタグ１７に薬提供情報１９が未だ書き込まれていないか否か判定する（ステップＳａ３）。薬ケース３が未使用などの理由により、ＲＦＩＤタグ１７に薬提供情報１９が未だ書き込まれていない場合には（ステップＳａ３：ＹＥＳ）、制御部５１は、次の処理を実行する。すなわち、制御部５１は、ＲＦＩＤ読書部２６を通じて未セットフラグ３５を立てた薬提供情報１９をＲＦＩＤタグ１７に書き込む（ステップＳａ４）。そして、制御部５１は、ロック解除キーユニット７を制御して薬ケース３のロックを解除する（ステップＳａ５）。
制御部５１は、薬のセットを介護者に促す表示を表示通知部３１に表示し（ステップＳａ６）、処理を終了する。ステップＳａ６の表示では、例えば、「薬をセットしてください」というメッセージが表示される。
【００３２】
一方、ステップＳａ３において、ＲＦＩＤタグ１７に薬提供情報１９が既に書き込まれている場合には（ステップＳａ３：ＮＯ）、この薬ケース３は、薬服用者に割り当てられて、使用されている。この場合、薬セット状態判定部５６は、ＲＦＩＤタグ１７に書き込まれている薬提供情報１９に基づいて、薬のセット状態が渡し済み状態であるか否か判定する（ステップＳａ７）。薬のセット状態が渡し済み状態である場合には（ステップＳａ７：ＹＥＳ）、介護者が薬ケース３の薬を薬服用者に渡し済みであるので、薬ケース３に薬がセットされていないことを示す。この場合、制御部５１は、ＲＦＩＤ読書部２６を通じて未セットフラグ３５を立てた薬提供情報１９をＲＦＩＤタグ１７に書き込む（ステップＳａ４）。そして、制御部５１は、薬ケース３のロックを解除し（ステップＳａ５）、介護者に薬のセットを促す表示を表示通知部３１に表示する（ステップＳａ６）。
【００３３】
上述のように薬のセット状態が未セット状態であれば、薬ケース３のロックが解除される。このため、薬ケース３がロックされ、かつ薬のセット状態が渡し済み状態ではない場合は（ステップＳａ７：ＮＯ）、薬のセット状態が未セット状態ではなく、セット済み状態であり、薬が薬ケース３にセットされていることを示す。この場合、制御部５１は、薬服用者が薬を未だ服用していないことを通知する表示を表示通知部３１に表示し（ステップＳａ８）、処理を終了する。ステップＳａ８の表示では、例えば、「薬が服薬されていません」というメッセージが表示される。
なお、ステップＳａ３では、薬ケース３のＲＦＩＤタグ１７に記憶されている薬提供情報１９が薬服用者と対応したものであることを確認する処理が行われてもよい。
【００３４】
図８は、書き込み処理が行われたときの薬提供システム１の動作説明図である。
薬ケース３のＲＦＩＤタグ１７が薬提供情報１９を記憶していない場合または薬のセット状態が渡し済み状態である場合、すなわち、薬ケース３に薬がセットされていない場合、図７のステップＳａ４の処理が行われる。ステップＳａ４の処理により、未セットフラグ３５が立てられた薬提供情報１９をＲＦＩＤタグ１７に情報端末５が書き込み、この書き込みにより、薬のセット状態が未セット状態になる。
その後、図７のステップＳａ５の処理により、ロックが解除され、介護者が薬を薬ケース３にセット可能になる。
【００３５】
図９は、薬セット処理を示すフローチャートである。
薬セット処理は、セット済みフラグ３３が立てられた薬提供情報１９を薬ケース３のＲＦＩＤタグ１７に情報端末５が書き込む処理であり、介護者が薬を薬ケース３にセットしたときに実行される。
なお、情報端末５が薬セット処理を開始する前に、薬ケース３には、ＲＦＩＤタグ１７に記憶されている薬情報２７が示す薬と同じものが予めセットされ、かつ、蓋体１３が閉められている。蓋体１３のロックは、薬セット処理の中で行われる。
【００３６】
図９に示すように、所定のタッチ操作が行われた場合（ステップＳｂ１）、制御部５１は、ＲＦＩＤ読書部２６を通じてセット済みフラグ３３を立てた薬提供情報１９をＲＦＩＤタグ１７に書き込む（ステップＳｂ２）。これにより、薬のセット状態は、セット済み状態になる。そして、薬セット状態判定部５６は、薬のセット状態がセット済み状態であるか否か判定する（ステップＳｂ３）。薬のセット状態がセット済み状態である場合には（ステップＳｂ３：ＹＥＳ）、制御部５１は、ロック解除キーユニット７を制御して、薬ケース３をロックする（ステップＳｂ４）。
制御部５１は、薬が薬ケース３にセットされた旨を表示通知部３１に表示する（ステップＳｂ５）。ステップＳｂ５の表示では、例えば、「薬をセットしました」というメッセージが表示される。
【００３７】
薬のセット状態がセット済み状態ではない場合には（ステップＳｂ３：ＮＯ）、制御部５１は、薬のセットを介護者に促す表示を表示通知部３１に表示し（ステップＳｂ６）、処理を終了する。ステップＳｂ６の表示では、例えば、「薬をセットしてください」というメッセージが表示される。
【００３８】
図１０は、薬セット処理が行われたときの薬提供システム１の動作説明図である。
図９のステップＳｂ２の処理により、セット済みフラグ３３が立てられた薬提供情報１９を薬ケース３のＲＦＩＤタグ１７に情報端末５が書き込むので、薬のセット状態がセット済み状態になる。その後、図９のステップＳｂ３の処理により、薬ケース３がロックされ、薬９０を取出不能にする。
【００３９】
図１１は、個人認証処理を示すフローチャートである。
個人認証処理は、情報端末５が薬服用者の認証結果に基づいて薬ケース３のロックを解除する処理であり、介護者が薬服用者の薬ケース３を多数の薬ケースの中から選ぶときに情報端末５に実行させる処理である。
図１１に示すように、所定のタッチ操作が行われた場合（ステップＳｃ１）、認証処理部５７は、薬を提供する相手が正当な薬服用者であるか否かを生体情報に基づいて認証する。すなわち、顔特定部６３は、薬を提供する相手の顔を撮影した撮影データと、各薬服用者の顔特徴情報７７とを対比して、個人識別ＩＤ２５を特定する（ステップＳｃ２）。
【００４０】
顔特定部６３は、薬を提供する相手の個人識別ＩＤ２５が見つかったか否か判定する（ステップＳｃ３）。該当の個人識別ＩＤ２５が見つかった場合には（ステップＳｃ３：ＹＥＳ）、薬を提供する相手が正当な薬服用者である。この場合、顔特定部６３は、服薬スケジュール管理部５５から薬服用者の服薬時間を取得し、顔特徴情報７７とともに表示通知部５４に表示する（ステップＳｃ４）。
【００４１】
図１２は、該当の個人識別ＩＤ２５が見つかった場合の表示を示す図である。
図１２の例では、薬服用者Ａの朝の服薬時間８２と、顔特徴情報７７とが表示通知部５４に表示されている。介護者は、この画面表示を見ることで、薬を服用する相手が正当であることを自分で判断し、薬服用者Ａの薬ケース３を多数の薬ケース３の中から選ぶようになる。
【００４２】
図１１に示すように、該当の個人識別ＩＤ２５が見つからなかった場合には（ステップＳｃ３：ＮＯ）、薬を提供する相手は正当な薬服用者ではない。この場合には、顔特定部６３は、表示通知部５４に認証に失敗した旨を表示し（ステップＳｃ５）、制御部５１は、処理を終了する。
【００４３】
制御部５１は、介護者が薬ケース３を選んだことを示すタッチ操作が行われたと判定するまで、この判定を繰り返す（ステップＳｃ６）。所定のタッチ操作が行われた場合には（ステップＳｃ６：ＹＥＳ）、制御部５１は、ＲＦＩＤ読書部２６を通じてＲＦＩＤタグ１７から薬提供情報１９を読み込む（ステップＳｃ７）。照合部５９は、認証処理部５７の認証結果と、薬ケース３に対して予め設定された薬提供情報１９とを照合し、比較する。具体的には、照合部５９は、薬ケース３のＲＦＩＤタグ１７から個人識別ＩＤ２５及び薬情報２７を取得し、両者の個人識別ＩＤ２５及び薬情報２７を比較する（ステップＳｃ８）。
【００４４】
判定部６１は、照合部５９の照合結果に応じてロックを解除するか否か判定する（ステップＳｃ９）。
両者の個人識別ＩＤ２５及び薬情報２７が一致していることを照合部５９の照合結果が示す場合、判定部６１は、ロックを解除すると判定する（ステップＳｃ９：ＹＥＳ）。この場合には、ロック機構制御処理部６９は、ロック機構制御回路４１を制御して、薬ケース３のロックを解除する（ステップＳｃ１０）。
【００４５】
制御部５１は、薬服用者の認証結果に基づいて薬ケース３のロックが解除された旨を表示通知部５４に表示する（ステップＳｃ１１）。ステップＳｃ１１の表示では、例えば、「認証しました」というメッセージが表示される。介護者がこの表示を見ることにより、薬の取り出しを促される。
【００４６】
ステップＳｃ９において、介護者が誤った薬ケース３を選んだために、両者の個人識別ＩＤ２５及び薬情報２７が一致していないことを照合部５９の照合結果が示す場合、判定部６１は、ロックを解除しないと判定する（ステップＳｃ９：ＮＯ）。この場合、制御部５１は、薬ケース３のロックを維持する（ステップＳｃ１２）。
そして、制御部５１は、介護者に薬ケース３の選びなおしを促す表示を表示通知部５４に表示し（ステップＳｃ１３）、処理をステップＳｃ６に戻す。介護者はこの表示に促されて、薬服用者の薬ケース３を選びなおすようになる。
【００４７】
図１３は、個人認証処理が行われたときの薬提供システム１の動作説明図である。図１３（ａ）は照合結果に基づいてロック維持された薬ケース３を示す図である。図１３（ｂ）は照合結果に基づいてロック解除された薬ケース３を示す図である。
図１１のステップＳｃ８に示す照合の結果、図１３（ａ）に示すように、両者の個人識別ＩＤ２５及び薬情報２７が一致しなかった場合には、図１１のステップＳｃ１２の処理により、ロック状態が維持される。
一方、図１３（ｂ）に示すように、両者の個人識別ＩＤ２５及び薬情報２７が一致した場合には、図１１のステップＳｃ１０の処理により、薬ケース３がロックを解除される。介護者は、薬ケース３から薬服用者Ａに薬９０を渡すことができるようになる。
【００４８】
このように、薬服用者Ａの認証結果と、薬ケース３に予め設定された薬提供情報１９とを比較し、両者が一致していなければ、ロック状態が維持されるので、薬服用者Ａが他の薬服用者Ｂの薬を誤って飲んでしまうことを防止でき、薬の誤飲を防止できる。また、薬提供情報１９は、薬の服用時間を含むため、介護者が薬ケース３のロックを解除するとき、正しい服薬時間を意識できる。
【００４９】
図１１に示すように、制御部５１は、介護者が薬を薬ケース３から取り出したことを示すタッチ操作が行われたと判定するまで、この判定を繰り返す（ステップＳｃ１４）。所定のタッチ操作が行われた場合には（ステップＳｃ１４：ＹＥＳ）、制御部５１は、ＲＦＩＤ読書部２６を通じて渡し済みフラグ３１が立てられた薬提供情報１９を薬ケース３のＲＦＩＤタグ１７に書き込む（ステップＳｃ１５）。これにより、薬のセット状態が渡し済み状態になる。制御部５１は、薬服用者の個人識別ＩＤ２５及び薬情報２７に基づく服薬履歴２２を生成し、送信部５８によって服薬履歴２２を服薬データベース６に送信する（ステップＳｃ１６）。これにより、薬服用者が薬を服用したときの履歴を管理できる。
【００５０】
制御部５１は、個人認証処理に従い服薬が完了した旨を表示通知部５４に表示し（ステップＳｃ１７）、処理を終了する。ステップＳｃ１７の表示では、例えば、「服薬を完了しました」というメッセージが表示される。
【００５１】
以上、説明したように、本実施形態の薬提供システム１は、薬ケース３と、薬服用者を認証する認証処理部５７を有する情報端末５とを備える。この情報端末５は、認証処理部５７の認証結果と、薬ケース３に対して予め設定された薬提供情報１９とを照合する照合部５９、及び、照合部５９の照合結果に応じてロックを解除するか否か判定する判定部６１を有する。また、薬提供システム１は、判定部６１の判定結果に基づいて薬ケース蓋開閉ロック機構１５のロックを解除するロック解除キーユニット７を備える。
認証処理部５７が薬を提供する相手が正当な薬服用者であるか否かを生体情報に基づいて認証する。そして、照合部５９が認証処理部５７の認証結果と、薬ケース３に対して予め設定された薬提供情報１９とを照合し、比較し、判定部６１が照合部５９の照合結果に応じてロックを解除するか否か判定する。判定部６１がロックを解除する場合には、ロック解除キーユニット７が薬ケース３のロックを解除する。
【００５２】
このように、薬服用者の認証結果と、薬ケース３に予め設定された薬提供情報１９とを比較し、両者が一致していなければ、ロック状態が維持されるので、薬服用者が他の薬服用者の薬を誤って飲んでしまうことを防止でき、薬の誤飲を防止できる。
【００５３】
また、本実施形態のロック解除キーユニット７は、ハードキー３９を備える。
ハードキー３９によって薬ケース蓋開閉ロック機構１５が押し込まれることで、薬ケース蓋開閉ロック機構１５がロックを解除する。
この構成では、ハードキー３９を用いることにより、ロック解除キーユニット７と薬ケース３とが離れている場合の薬のセキュリティ性を高めることができる。
【００５４】
また、本実施形態の薬ケース蓋開閉ロック機構１５は、薬ケース３の中に設けられている。
これにより、薬ケース３の外から薬ケース蓋開閉ロック機構１５のロックを解除することが難しくなる。
【００５５】
また、本実施形態の薬提供システム１は、ロック解除制御部５２を有した情報端末５を備え、ロック解除キーユニット７は、情報端末５に設けられている。
これにより、情報端末５を所持する介護者が薬ケース３のロック解除を目視で確認できる。
【００５６】
また、本実施形態の薬提供システム１は、ケース本体１１から薬服用者に薬を渡し済みであることを示す渡し済みフラグ３１を記憶するＲＦＩＤ記憶部２１と、渡し済みフラグ３１に基づく服薬履歴２２を送信する送信部５８とを備える。
送信部５８は、薬服用者の個人識別ＩＤ２５及び薬情報２７に基づく服薬履歴２２を送信する。
これにより、薬服用者が薬を服用したときの履歴を管理することができる。
【００５７】
また、本実施形態の薬提供情報１９は、薬の服用時間を含むことを特徴とする。
認証結果８６が薬服用者Ａ及び「朝」の服用時間を示しており、薬提供情報１９が薬服用者Ｂ及び「昼」の服用時間を示している場合には、ロック状態が維持される。
これにより、介護者が薬ケース３のロックを解除するとき、正しい服薬時間を意識できる。
【００５８】
なお、上述した実施形態は、あくまでも本発明の一態様を例示したものであって、本発明の趣旨を逸脱しない範囲で任意に変形、及び応用が可能である。
【００５９】
図２は、本願発明を理解容易にするために、薬提供システム１の機能構成を主な処理内容に応じて分類して示した概略図であり、薬提供システム１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
【００６０】
上記図１１のフローチャートの処理単位は、認証処理部５７、照合部５９、及び判定部６１の処理を理解容易にするために、主な処理内容に応じて分割したものである。処理単位の分割の仕方や名称によって、本願発明が制限されることはない。認証処理部５７、照合部５９、及び判定部６１の処理は、処理内容に応じて、さらに多くの処理単位に分割することもできる。また、１つの処理単位がさらに多くの処理を含むように分割することもできる。また、認証処理部５７、照合部５９、及び判定部６１による同様の処理が行えれば、上記のフローチャートの処理順序も、図示した例に限られるものではない。
【００６１】
また、本発明を適用した照合部５９は、薬提供情報１９が備えている薬情報２７が示す薬の服用時間を照合しなくてもよく、薬情報２７は、薬の服用時間を含まなくてもよい。
【００６２】
また、本発明を適用したロック解除キーユニット７は、ハードキー３９を備えていなくてもよいし、情報端末５に設けられていなくてもよい。例えば、ロック解除キーユニット７は、薬ケース３に設けられた回路であってもよく、この回路が薬ケース蓋開閉ロック機構１５を制御してもよい。
また、本発明を適用した薬ケース蓋開閉ロック機構１５は、薬ケース３の外に設けられていてもよい。本発明を適用した薬提供システム１は、服薬履歴を送信しなくてもよい。
【符号の説明】
【００６３】
１  薬提供システム
３  薬ケース
５  情報端末（処理手段）
６  服薬データベース
７  ロック解除キーユニット
１１  ケース本体
１５  薬ケース蓋開閉ロック機構（ロック部）
１９  薬提供情報
２１  ＲＦＩＤ記憶部
２７  薬情報
２９  薬セット状態情報
３１  渡し済みフラグ
３９  ハードキー
５１  制御部
５２  ロック解除制御部
５７  認証処理部（認証部）
５８  送信部
５９  照合部
６１  判定部
６３  顔特定部
６７  ＲＦＩＤ正否処理部
６９  ロック機構制御処理部
７３  服薬履歴
７９  孔部
９０  薬
Ａ  薬服用者
【図１】
2019030576.tif 000003
【図２】
2019030576.tif 000004
【図３】
2019030576.tif 000005
【図４】
2019030576.tif 000006
【図５】
2019030576.tif 000007
【図６】
2019030576.tif 000008
【図７】
2019030576.tif 000009
【図８】
2019030576.tif 000010
【図９】
2019030576.tif 000011
【図１０】
2019030576.tif 000012
【図１１】
2019030576.tif 000013
【図１２】
2019030576.tif 000014
【図１３】
2019030576.tif 000015